(57)【特許請求の範囲】
【請求項１】
ヘルメットの最外層を構成する帽体に厚み方向で対面する取付部材と、該取付部材の内側に配されるクッション部材とを備え、着用者の頬部から顎部を保持するように前記帽体の内側左右両側部に配されるヘルメットの頬パッドにおいて、
前記取付部材は、前記帽体に接して取り付く基礎部材と、
前記基礎部材の内側、且つ前記クッション部材との間の下方部分にあって、前記クッション部材を該クッション部材の厚み方向で支えるとともに、前記基礎部材と前記クッション部材との間に空間を確保するように設けられた形状維持部材と、
前記基礎部材と前記形状維持部材との間に介在された弾性部材とを備え、
前記形状維持部材は、前記クッション部材に対応する面を着用者の頬部から顎部に沿う形状に維持すると同時に、前記ヘルメットの着脱時に加わる通常より大きな力に対しては厚み方向外側に変位することで前記空間を縮小するとともに、該空間の縮小に対して、前記変位以前の元の位置に戻るように復元、維持する弾性を有する弾性体からなり、
前記弾性部材は、前記空間の縮小に抗する弾性の強さを調整すると同時に、前記空間を元の状態に復元、維持する弾性を有する素材からなることを特徴とする頬パッド。
【請求項２】
前記形状維持部材は、伸縮性が少ない板材であって、前記クッション部材に対応する面が着用者の頬から顎に沿う形状に構成されていることを特徴とする請求項１記載の頬パッド。
【請求項３】
前記形状維持部材は、伸縮性が少ない板材であって、前記基礎部材に固着される複数の固着部を有し、該固着部を前記基礎部材に固着することによって、前記クッション部材に対応する面が着用者の頬から顎に沿う形状となるように構成されていることを特徴とする請求項１又は２記載の頬パッド。
【請求項４】
前記空間内に、前記形状維持部材の変形を阻害させない詰め物が充填されていることを特徴とする請求項１乃至３いずれか１項記載の頬パッド。
【請求項５】
前記基礎部材が、緩衝性を有する緩衝部材を含むことを特徴とする請求項１乃至４いずれか１項記載の頬パッド。
【発明の詳細な説明】
【技術分野】
【０００１】
本発明は、自動車や自動二輪車等の各種移動車両及びモーターボート等の船舶、更には、自転車等の移動機具に乗る際に、頭部及び顔面を保護するために被るフルフェース型ヘルメットに配されて、着用者の頬部を保護する頬パッドに関する。
【背景技術】
【０００２】
フルフェース型ヘルメットは、着用者の頬部を保護するとともに、着用者の吐息をヘルメット下部からヘルメットの外部に逃がす機能を有する頬パッドを備えたものが知られている。下記特許文献１に記載の頬パッドは、取付部材上に積層接着されるクッション部材の前側下部を取付部材に対して非接着とし、そのクッション部材の非接着部分における厚さ方向の中間部分を圧潰変形又は切欠することで、着用者の吐息をヘルメット下部からヘルメットの外部に逃がす案内路が形成されている。
【先行技術文献】
【特許文献】
【０００３】
【特許文献１】特開２０００−０１７５１４号公報
【発明の概要】
【発明が解決しようとする課題】
【０００４】
特許文献１に記載のフルフェース型ヘルメットによると、着用者の吐息を頬パッドに形成された案内路を介してヘルメット下部からこのヘルメットの外部に逃がすことができるので、着用者の吐息がヘルメット内の顔面前部の空間に滞留することはなくなり、その結果ヘルメットの前面に配置されるシールドの内面の曇りを防止することができる。また、この案内路が、クッション部材の厚さ方向の中間部を圧潰変形又は切欠して形成することで、頬部及び顎部と当接する表面積をそのまま確保できるようになっているため、頬パッドが有する本来の機能である頬部及び顎部の保持機能を損なわず、ヘルメットの被り心地を保つことができる。
【０００５】
特許文献１のようなフルフェース型ヘルメットにおける頬部及び顎部の保持機能や被り心地は、クッション部材の弾性が関係している。頬部及び顎部の保持機能については、クッション部材の弾性を利用して、頬部及び顎部に対してクッション部材を密着させることにより発揮できるようになっている。また、被り心地については、クッション部材の弾性を利用して、頬部及び顎部に対するクッション部材の接触圧力を、このクッション部材の厚み方向の変形で逃がすことにより、頬部及び顎部に過度な圧力を作用させずに密着できるようになっている。
【０００６】
頬から顎にかけて、包み込むような理想的な被り心地を実現するためには、クッション部材を保持する基礎部材が、左右の間隔が着用者の頬から顎に沿って狭まった状態で、クッション部材を介してほぼ均一な密着力で保持するのが望ましい。しかしながら、それを実現させようとすると、頭部、特に耳が引っ掛かり、ヘルメットの着脱は困難である（図１３参照）。したがって、左右の基礎部材間の幅は着用者の頭部の幅以下に狭めることは構造上困難で、例えば、図１４に示すように、基礎部材１００の形状を変えることなく、クッション部材１０１の厚みで補うしかなかった。更に、クッション部材１０１のみで補った場合には、横から押さえることはできても、頬部から顎部にかけて包み込むように保持することは困難であった。
【０００７】
本発明は、このような問題に対処することを課題の一例とするものである。ヘルメットの良好な保持機能及び良好な被り心地を備えること、ヘルメットの着脱を容易とすることができること、等が本発明の目的である。
【課題を解決するための手段】
【０００８】
このような目的を達成するために、本発明による頬パッドは、以下の構成を少なくとも具備するものである。
【０００９】
ヘルメットの最外層を構成する帽体に厚み方向で対面する取付部材と、該取付部材の内側に配されるクッション部材とを備え、着用者の頬部から顎部を保持するように前記帽体の内側左右両側部に配されるヘルメットの頬パッドにおいて、前記取付部材は、前記帽体に接して取り付く基礎部材と、前記基礎部材の内側、且つ前記クッション部材との間の下方部分にあって、前記クッション部材を該クッション部材の厚み方向で支えるとともに、前記基礎部材と前記クッション部材との間に空間を確保するように設けられた形状維持部材と、前記基礎部材と前記形状維持部材との間に介在された弾性部材とを備え、前記形状維持部材は、前記クッション部材に対応する面を着用者の頬部から顎部に沿う形状に維持すると同時に、前記ヘルメットの着脱時に加わる通常より大きな力に対しては厚み方向外側に変位することで前記空間を縮小するとともに、該空間の縮小に対して、前記変位以前の元の位置に戻るように復元、維持する弾性を有する弾性体からなり、前記弾性部材は、前記空間の縮小に抗する弾性の強さを調整すると同時に、前記空間を元の状態に復元、維持する弾性を有する素材からなることを特徴とする。
【発明の効果】
【００１０】
このような特徴を有することで本発明は以下の効果を奏する。すなわち、形状維持部材が、クッション部材に対応する面を着用者の頬部から顎部に沿う形状に維持すると同時に、ヘルメットの着脱時に加わる通常より大きな力に対しては厚み方向外側に変位することで前記空間を縮小するとともに、通常時の元の位置に戻るようにされているので、着用時におけるヘルメットの良好な保持機能及び良好な被り心地を備え、更には、ヘルメットの着脱を容易とすることができる。
【図面の簡単な説明】
【００１１】
【図１】頬パッドの第１実施形態を示す側面図でヘルメットに装着した状態を示す。
【図２】図１の(２)−(２)線断面図。
【図３】ヘルメットの着用状態を示す断面図。
【図４】頬パッドの分解斜視図。
【図５】頬パッドの斜視図。
【図６】頬パッドの第２実施形態を示す断面図。
【図７】頬パッドの第３実施形態を示す断面図。
【図８】図７における頬パッドの分解斜視図。
【図９】頬パッドの第４実施形態を示す斜視図。
【図１０】頬パッドの第５実施形態を示す斜視図。
【図１１】頬パッドの第６実施形態を示す斜視図。
【図１２】頬パッドの第７実施形態を示す斜視図。
【図１３】頬パッドの従来構造を示す断面図。
【図１４】頬パッドの従来構造を示す断面図。
【発明を実施するための形態】
【００１２】
本発明の形状維持部材は、弾性体であって、前記基礎部材と前記クッション部材の間の前記空間を前記形状維持部材の弾性により元の状態に復元、維持して、前記クッション部材に対応する面を着用者の頬から顎に沿う形状とすることが好ましい。また、前記形状維持部材は、伸縮性が少ない板材であって、前記クッション部材に対応する面を着用者の頬から顎に沿う形状にすることが好ましい。更に、前記形状維持部材は、伸縮性が少ない板材であって、前記基礎部材に固着される複数の固着部を有し、該固着部を前記基礎部材に固着することによって、前記クッション部材に対応する面が着用者の頬から顎に沿う形状となるようにすることが好ましい。
【００１３】
また、前記基礎部材と前記形状維持部材との間に、前記空間の縮小に抗する弾性の強さを調整すると同時に、前記空間を元の状態に復元するための弾性部材が備えることが好ましい。
【００１４】
前記空間内に、前記形状維持部材の変形を阻害させない詰め物を充填してもよい。
【００１５】
また、本発明でいう前記基礎部材は、例えば、緩衝性を有する緩衝部材が挙げられる。
【００１６】
以下、本発明に係るヘルメット用頬パッド（以下「頬パッド」という）の実施形態を図面に基づいて説明する。図１は、第１実施形態の頬パッド１を装着したフルフェース型ヘルメットＡを示している。
【００１７】
また、本発明では、フルフェース型ヘルメット用の形状で構成された頬パッド１を例示しているが、本発明でいうヘルメットは、フルフェースではないヘルメットを含んでおり、すなわち、頬パッド１をジェット型ヘルメット用の形状で構成することで、オープンフェース型ヘルメット用の頬パッド１にすることも可能である。
【００１８】
本発明のフルフェース型ヘルメット(以下、ヘルメットという)Ｂは、繊維強化樹脂材によりフルフェース型に成型され、ヘルメットＢの最外層を構成する帽体Ｂ１の内側に、発泡スチロール又はこれと同様の衝撃吸収性能を有する素材を用いて、帽体Ｂ１の頭部側に適合する形状に成型された衝撃吸収ライナーＢ２と、衝撃吸収ライナーＢ２の内面に取付けられた着装体Ｂ３と、帽体Ｂ１の前面開口部Ｂ１０の下部における顎部から左右の頬部手前に至る部分に適合する形状に成型された顎ガード部Ｂ４と、帽体Ｂ１に対して開口部Ｂ１０を開閉するように軸支されたシールドＢ５と、帽体１の左右頬部(図示では、右側のみを示す)に適合する形状に形成された頬パッド１を備えている。更に、一端を帽体Ｂ１の左右の頬部に軸支した一対の顎紐(図示では、右側を示す)Ｂ６を備えており、この顎紐Ｂ６の他端を頬パッド１に形成された顎紐通し孔１０を貫通させてヘルメットＢの内側に配置している。
【００１９】
図２〜図５は、頬パッド１の構成図であり、図２及び図３は、頬パッド１をヘルメットＢに装着した状態を示し、図４及び図５は、外装カバー１１及び掛止部材２１Ａ、２１Ｂを省略して示している。
【００２０】
頬パッド１は、取付部材２、クッション部材３、弾性部材４を積層状に固着し、これら取付部材２、クッション部材３、弾性部材４を外装カバー１１で包被して構成されている。
【００２１】
取付部材２は、衝撃吸収ライナーＢ２と同様の素材を用いて所定の形状に形成された基礎部材２０と、頬パッド１を帽体Ｂ１に取付けるための前後２箇所の掛止部材２１Ａ、２１Ｂと、クッション部材３の着用者Ｃ側の面を、この着用者Ｃの頬から顎部に沿う形状に調整するとともに、この形状を維持する形状維持部材５とを備えている。
【００２２】
基礎部材２０は、顎紐通し孔１０の一部を構成する貫通孔１０Ａが開孔されている。
【００２３】
掛止部材２１Ａ、２１Ｂは、基礎部材２０の前後に突出するように設けられた突出部材であり、後方の掛止部材２１Ｂが衝撃吸収ライナーＢ２と帽体Ｂ１の間に嵌入し、前方の掛止部材２１Ａが顎ガード部Ｂ４に設けられた掛止部材２１Ａ’と篏合することで頬パッド１を帽体Ｂ１に取付けるようになっている。
【００２４】
クッション部材３は、ウレタン材、スポンジ材、発泡ポリエチレン材等、着用者Ｃの頬部から顎部に対して変形からの復帰による反発力で密着し、且つ着用者Ｃに傷を付けない程度の弾性を備える柔軟な素材を用いて所定の形状に形成されたものである。
【００２５】
このクッション部材３には、顎紐通し孔１０の一部を構成する貫通孔１０Ｂが開孔されており、取付部材２とクッション部材３とを積層したときに、貫通孔１０Ａ、１０Ｂが正対することで顎紐通し孔１０が構成されるようになっている。
【００２６】
空間Ｓは、形状維持部材５を厚み方向外側（潰れ方向）に変位させるために、厚み方向外側へ縮小可能に設けられている。この空間Ｓは、クッション部材３の厚み方向外側への変形にともなう形状維持部材５の変位により、厚み方向外側に縮小するようになっており、この空間Ｓの厚み方向外側への縮小により、形状維持部材５を基礎部材２０に近接するように変位させることができる(図２参照)。
【００２７】
また、この空間Ｓは、ヘルメットＢの着脱時において、顎紐Ｂ６を外側に引っ張って、ヘルメットＢの着用時における通常の力を上回り、且つこのヘルメットＢを左右方向に拡開する力が頬パッド１に作用したときに、クッション部材３の厚み方向外側への変形が限界に達すると、形状維持部材５の変形が始まるとともに、厚み方向外側に縮小することによって、クッション部材３を基礎部材２０に近接するように変位させることができる。すなわち、ヘルメットＢの着脱時において、ヘルメットＢの下方開口部Ｂ１１を容易に拡開させることができるので、ヘルメットＢの着脱を容易に行うことができる。
【００２８】
弾性部材４は、クッション部材３よりも高弾性のウレタン材、スポンジ材、発泡ポリエチレン材等、変形からの復帰による反発力が生じ、且つ着用者Ｃに傷を付けない程度の弾性を備える柔軟な素材から形成されたものである。
【００２９】
この弾性部材４は、基礎部材２０の厚み程度の厚みとするとともに、上下幅を厚みよりも若干幅広とし、且つ案内路Ａを除く基礎部材２０の下端の長さと同長として形成されている。このような弾性部材４は、案内路Ａを除く基礎部材２０の下端の全域にわたって、弾性部材４の下端が基礎部材２０の下端と面一となるように空間Ｓに介在されている(図４、図５参照)。
【００３０】
この空間Ｓが介在された部位を除いて基礎部材２０とクッション部材３とを接着することで、基礎部材２０、形状維持部材５、クッション部材３、弾性部材４を一体化している。
【００３１】
形状維持部材５は、着用者Ｃに傷を付けない程度の軟質、且つ折り曲げ変形に対して弾性が生じる合成樹脂材等の弾性素材を、図面上逆Ｖ字状（逆Ｕ字状）に形成され、その一端面が空間Ｓ内の基礎部材２０に固着され、他端面が空間Ｓ内のクッション部材３に固着されている。
【００３２】
前述の一端面は、空間Ｓ内における基礎部材２０の上方側の面に対応する形状として形成されており、基礎部材２０の上方側の面に対して固着する固着部５０としている。また、前述の他端面は、クッション部材３の空間Ｓに面した部分に対応する形状として形成されており、クッション部材３の厚み方向外側に作用する力に抗して、このクッション部材３を着用者Ｃの頬部から顎まで沿う形状となるように維持して保持する面を有する保持部５１としている。
【００３３】
また、前述の逆Ｖ字状の角部５Ａは、空間Ｓの縮小にともなってその内角の角度を縮小するが、この縮小から復帰するときに生じる復帰力（反発力）が作用するようになっている。すなわち、この復帰力で空間Ｓの縮小によって変位した形状維持部材５を元の状態に戻すことによって、この形状維持部材５がクッション部材３を着用者Ｃの頬部から顎部に沿った形状に維持して、この着用者Ｃの頬部から顎部を支えるようになっている。
【００３４】
角部５Ａが縮小から復帰する方向は、形状維持部材５が逆Ｖ字状に形成されている場合は、この角部５Ａを中心とする円弧に沿って、空間Ｓが縮小したとき、この空間Ｓの縮小に対して、空間Ｓを拡開させる方向となる。すなわち、角部５Ａが縮小から復帰するときに生じる復帰力は、この角部５Ａを中心とする円弧に沿う方向であり、着用者Ｃの頬部から顎部を下方から支える方向に作用するようになっている。
【００３５】
したがって、クッション部材３が形状維持部材５によって、着用者Ｃの頬部から顎部に沿った形状に維持され、この着用者Ｃの頬部から顎部を下方から支えることができるので、ヘルメットＢの着用時におけるガタツキが防止され、ヘルメットＢの保持機能を高くすることができるとともに、ヘルメットＢの被り心地を良好なものとすることができる。
【００３６】
尚、形状維持部材５は、クッション部材３の厚み方向外側に作用する力に抗して、クッション部材３を着用者Ｃの頬部から顎部に沿った形状に復帰して維持するもので、この着用者Ｃの頬部から顎部を支えることが可能な構造であればよく、例示した逆Ｖ字状に形成した構造に限るものではない。
【００３７】
保持部５１と基礎部材２０との間に弾性部材４が固着されており、このように弾性部材４を空間Ｓ内に介在させることによって、ヘルメットＢの着用時において、空間Ｓの縮小による保持部５１の変位にともなって、弾性部材４が弾性変形するとともに、この弾性変形からの復帰するときに生じる復帰力（反発力）を保持部５１に作用させるようになっている。すなわち、弾性部材４の復帰力が保持部５１をクッション部材３側に押し付ける力となり、この力が空間Ｓの縮小にともなって変位する形状維持部材５の復帰力に加わることによって、より確実にクッション部材３を着用者Ｃの頬から顎に沿った形状に維持することができる。
【００３８】
このように、弾性部材４と形状維持部材５により、クッション部材３を着用者Ｃの頬から顎に沿った形状に維持することによって、クッション部材３を着用者の頬部及び顎部にしっかりと接触させ、ヘルメットＢの着用時におけるガタツキをより確実に防止することができる。したがって、ヘルメットＢの保持機能をより高くすることができるとともに、ヘルメットＢの被り心地をより良好なものとすることができる。
【００３９】
また、弾性部材４の硬さを変えることにより、クッション部材３及び形状維持部材５等を交換することなく、被り心地の調整をすることが可能となる。
【００４０】
図６は、本発明の頬パッド１の第２実施形態を示している。この第２実施形態では、前述の第１実施形態と重複する部位についての説明は、図面に同符号を付すことにより省略する。
【００４１】
本実施形態の頬パッド１は、空間Ｓ内にクッション部材３の弾性よりも低弾性であって、形状維持部材５の変形を阻害させない詰め物７を充填してなるものである。詰め物７は、空間Ｓに、且つ基礎部材２０とクッション部材３の間に空間Ｓによる凹凸が生じないように充填されている。尚、凹凸があってもよい。
【００４２】
このような詰め物７を充填した頬パッド１によると、基礎部材２０とクッション部材３に外装カバー１１を包被したときに、この外装カバー１１に凹凸によるしわ等が生じないようにすることができ、意匠的に良好な頬パッド１とすることができる。また、この詰め物７が形状維持部材５の変形を阻害させないようにされているので、空間Ｓの厚み方向外側へ縮小を正常に行うことができ、前述の第１実施形態と同様に、クッション部材３を厚み方向外側へ変位させることができる。
【００４３】
クッション部材３の弾性よりも低弾性とする詰め物７の素材として、例えば、クッション部材３よりも低密度のウレタン材、スポンジ材、発泡ポリエチレン材、綿材等が挙げられる。この詰め物７は、形状維持部材５の変形を阻害させないものであれば、クッション部材３の弾性よりも低弾性であることに限定するものではない。
【００４４】
図７及び図８は、頬パッド１の第３実施形態を示している。本実施形態の頬パッド１は、形状維持部材５の形態を、第１実施形態及び第２実施形態の形状維持部材５と異なる形態にしたものである。この第３実施形態では、前述の第１実施形態と重複する部位についての説明は、図面に同符号を付すことにより省略する。図８は、外装カバー１１及び掛止部材２１Ａ、２１Ｂを省略して示している。
【００４５】
本実施形態の形状維持部材５は、第１実施形態の形状維持部材５に比べ、角部５Ａが鈍角で、固着部５０が、第１実施形態の保持部５１と同構成とする保持部５１から上方に延設されてなる形態である。固着部５０は、空間Ｓの上方の基礎部材２０に固着され、この基礎部材２０とクッション部材３との間に介在するように配置されている。固着部５０と保持部５１とは、空間Ｓの上端部分において保持部５１が、クッション部材３の厚み方向に作用する力に抗して、クッション部材３の変形を抑制するとともに、このクッション部材３を着用者Ｃの頬部から顎まで沿う形状となるように、復元、維持して保持できる角度となるように連設されている。
【００４６】
固着部５０は、保持部５１の長手方向に沿うように互いに同間隔を空けて、複数（図８において３個）形成されている。この固着部５０は、基礎部材２０に対して固着するときに、互いの間隔を狭めるようにすることによって、保持部５１の形状を、クッション部材３の厚み方向に作用する力に抗して、クッション部材３の変形を抑制するとともに、このクッション部材３を着用者Ｃの頬部から顎まで沿う形状となるように、復元、維持して保持できる立体的な形状及び角度となるようにすることができる。
【００４７】
このような形状維持部材５を備えた頬パッド１によっても、第１実施形態の頬パッド１と同様の作用効果が期待できる。また、基礎部材２０に対する取付け形態を、固着部５０が基礎部材２０とクッション部材３との間に介在されるようにした取付け形態としているので、基礎部材２０に対する形状維持部材５の取付け状態をより強固なものとすることができる。
【００４８】
前述の各実施形態では、頬パッド１を特開２０００−０１７５１４号公報に記載の案内路Ａが備えられたもので例示しているが、本発明では、図９に示すように、案内路Ａが備えられていない頬パッド１も含む（第４実施形態）。尚、第１実施形態と重複する部位についての説明は、同符号を付すことにより省略する。図９では、外装カバー１１及び掛止部材２１Ａ、２１Ｂを省略して示している。
【００４９】
本実施形態の頬パッド１は、第１実施形態の形状維持部材５における案内路Ａに対応する部分がない形状維持部材５を備えており、案内路Ａに対応する部位においてクッション部材３と基礎部材２０とを接着してあり、この接着部分から後方に空間Ｓが確保されている。
【００５０】
このような頬パッド１によっても、クッション部材３が形状維持部材５によって、着用者Ｃの頬部から顎部に沿った形状に、復元、維持され、この着用者Ｃの頬部から顎部を下方から支えることができるので、ヘルメットＢの着用時におけるガタツキが防止され、ヘルメットＢの保持機能を高くすることができるとともに、ヘルメットＢの被り心地を良好なものとすることができる。
【００５１】
本発明の頬パッド１は、図１０に示すように、複数の弾性部材４（図示においては２個）を備えた形態としてもよい（第５実施形態）。本実施形態の頬パッド１は、長さが短い２個の弾性部材４、４を、互いに間隔を空けて介在させた形態である。尚、第１実施形態と重複する部位についての説明は、同符号を付すことにより省略する。また、本実施形態では、弾性部材４を２個とした形態として例示しているが、この弾性部材４の個数は、３個以上であってもよい。図１０では、外装カバー１１及び掛止部材２１Ａ、２１Ｂを省略して示している。
【００５２】
このような形態の頬パッド１によっても、弾性部材４、４の弾性によって、空間Ｓの縮小に抗する弾性の強さを調整すると同時に、空間Ｓを元の状態に復元、維持することができる。
【００５３】
本発明の頬パッド１は、図１１に示すように、弾性部材４が介在されていない形態としてもよい（第６実施形態）。本実施形態の頬パッド１は、形状維持部材５によって、クッション部材３が着用者Ｃの頬部から顎部に沿った形状に、復元、維持され、この着用者Ｃの頬部から顎部を下方から支えることができるので、ヘルメットＢの着用時におけるガタツキが防止され、ヘルメットＢの保持機能を高くすることができるとともに、ヘルメットＢの被り心地を良好なものとすることができる。図１１では、外装カバー１１及び掛止部材２１Ａ、２１Ｂを省略して示している。
【００５４】
本発明の頬パッド１は、図１２に示すように、合成樹脂材からなる基板状とする形態の基礎部材２０を備えた形態としてもよい（第７実施形態）。このような基礎部材２０を備えた頬パッド１によっても、第１実施形態と同様の作用効果が期待できる。尚、第１実施形態と重複する部位についての説明は、同符号を付すことにより省略する。
【００５５】
尚、本発明は、例示した実施の形態に限定するものではなく、特許請求の範囲の各項に記載された内容から逸脱しない範囲の構成による実施が可能である。
【符号の説明】
【００５６】
Ｂ：ヘルメット
Ｂ１：帽体
Ｃ：着用者
Ｓ：空間
１：頬パッド
２：取付部材
３：クッション部材
４：弾性部材
５：形状維持部材
７：詰め物
２０：基礎部材
【図１】
0005214672.tif 000002
【図２】
0005214672.tif 000003
【図３】
0005214672.tif 000004
【図４】
0005214672.tif 000005
【図５】
0005214672.tif 000006
【図６】
0005214672.tif 000007
【図７】
0005214672.tif 000008
【図８】
0005214672.tif 000009
【図９】
0005214672.tif 000010
【図１０】
0005214672.tif 000011
【図１１】
0005214672.tif 000012
【図１２】
0005214672.tif 000013
【図１３】
0005214672.tif 000014
【図１４】
0005214672.tif 000015